(57)【要約】【課題】実際のゲレンデにおける練習と同等の練習感覚を容易に得ることができるようにすること。【解決手段】床面Ｆに設置する基礎板１と、基礎板１に対して前後方向に起伏自在とした傾斜板３と、傾斜板３を基礎板１に対して所定角度に傾斜させた状態で固定する固定部材１５と、傾斜板３の表面側に設けられ、傾斜板３の傾斜方向と直交する方向に沿って上向き凸状の傾斜面を有する滑走板５と、傾斜板３の前端部に、この傾斜板３の表面に沿ってそれぞれ回動自在に設けられた左右一対の長尺板４、４と、左右一対の長尺板４、４の下面に設けられ、滑走板５に当接して、左右一対の長尺板４、４を滑走板５の表面に沿って直交する方向に自在に移動させるキャスタ１０と、を備えたスキー練習装置を構成する。【選択図】図１
2015084864.tif 000002
【特許請求の範囲】
【請求項１】
床面（Ｆ）に設置する平板状の基礎板（１）と、
前記基礎板（１）の前端部にヒンジ（２）を介して設けられ、前記基礎板（１）に対して前傾するように起伏自在とした平板状の傾斜板（３）と、
前記基礎板（１）に設けられ、前記傾斜板（３）を前記基礎板（１）に対して所定角度に傾斜させた状態で固定する固定部材（１５）と、
前記傾斜板（３）の前端部に、この傾斜板（３）の表面に沿ってそれぞれ回動自在に設けられた左右一対の長尺板（４、４）と、
前記左右一対の長尺板（４、４）の下面に設けられ、前記左右一対の長尺板（４、４）を左右方向に自在に移動させるキャスタ（１０）と、
を備えたスキー練習装置。
【請求項２】
前記傾斜板（３）の表面側に、前記傾斜板（３）の傾斜方向と直交する方向に沿って上向き凸状の傾斜面を有する滑走板（５）をさらに設けた請求項１に記載のスキー練習装置。
【請求項３】
前記傾斜板（３）の左右両端部に、前記キャスタ（１０）の左右方向の移動を前記傾斜板（３）の面内に限定するストッパ部材（１１）を設けた請求項１又は２に記載のスキー練習装置。
【請求項４】
前記左右一対の長尺板（４、４）の後端に、後端に向かって延設した軸体（１９）と、前記軸体（１９）に対して軸周りに相対回動自在に設けられた筒体（２０）と、前記軸体（１９）と前記筒体（２０）に介在して設けられ前記軸体（１９）に対し前記筒体（２０）を一方向に回動した際にこの筒体（２０）を前記一方向とは逆の方向に付勢する付勢部材（２３）と、を設けた請求項１〜３のいずれか一項に記載のスキー練習装置。
【請求項５】
前記左右一対の長尺板（４、４）のうち、右側の長尺板（４）側に設けた前記付勢部材（２３）は右巻きのコイルスプリングであり、前記左右一対の長尺板（４、４）のうち、左側の長尺板（４）側に設けた前記付勢部材（２３）は左巻きのコイルスプリングである請求項４に記載のスキー練習装置。
【請求項６】
前記左右一対の長尺板（４、４）の少なくとも一部に、縦断面がコの字形の補強部材（２６）を連設した請求項１〜３のいずれか一項に記載のスキー練習装置。
【発明の詳細な説明】
【技術分野】
【０００１】
この発明は、室内等のように実際のゲレンデ以外の場所において、スキーのターン等の練習をすることができるスキー練習装置に関する。
【背景技術】
【０００２】
スキーシーズン以外の季節において、ゲレンデ以外の場所（室内等）でスキーのターン等の練習をする装置として、例えば特許文献１−３に記載されている構成のものがある。これらは、いずれも使用者の左右に移動（回動）可能な台を備えている。そして、この台の上に足を固定した上で足を左右に動かすことによって、ゲレンデで行うターン等と同様の練習効果を得ることができる。
【先行技術文献】
【特許文献】
【０００３】
【特許文献１】特開２０００−１５７６５６号公報
【特許文献２】特開平７−２７５４１８号公報
【特許文献３】特開平６−１３４０６０号公報
【発明の概要】
【発明が解決しようとする課題】
【０００４】
特許文献１に係るスキー練習器は、足載盤が左右に水平にスライドするだけなので、ゲレンデの斜面を想定したバランス感覚を養うことは難しい。また、特許文献２に係る訓練装置は、踏み面が傾斜した支持片に支持されているため、この踏み面を傾斜させることはできるが、左右の踏み面が間隔保持体を介してほぼ一体に左右にスライドするため、実際のゲレンデにおける感覚と同等の練習感覚を得ることは難しい。また、特許文献３に係るスキー練習装置は、足載せ台を傾斜させることはできても、両足載せ台が一体となって左右にスライドするため、練習感覚は特許文献２に係る訓練装置と同様である。
【０００５】
そこで、この発明は、実際のゲレンデにおける練習と同等の練習感覚を容易に得ることができるようにすることを課題とする。
【課題を解決するための手段】
【０００６】
上記の課題を解決するため、この発明は、床面に設置する平板状の基礎板と、前記基礎板の前端部にヒンジを介して設けられ、前記基礎板に対して前傾するように起伏自在とした平板状の傾斜板と、前記基礎板に設けられ、前記傾斜板を前記基礎板に対して所定角度に傾斜させた状態で固定する固定部材と、前記傾斜板の前端部に、この傾斜板の表面に沿ってそれぞれ回動自在に設けられた左右一対の長尺板と、前記左右一対の長尺板の下面に設けられ、前記左右一対の長尺板を左右方向に自在に移動させるキャスタと、を備えたスキー練習装置を構成した。
【０００７】
このスキー練習装置によると、左右一対の長尺板を傾斜板の表面に沿ってそれぞれ回動自在に設けたので、左右の長尺板を個別に回動させることができる。このため、実際のゲレンデにおける練習と同等の練習感覚を容易に得ることができ、スキー技能を効率よく向上することができる。
【０００８】
また、基礎板に対し、傾斜板を前傾するように起伏自在とするとともに、その傾斜角度を固定部材で固定したことにより、所定の傾斜角度で安全に練習を行うことができる。この傾斜角度を複数設定できるように構成することにより、子供等の初心者から上級者まで、レベルを問わず効率的な練習を行うことができる。しかも、長尺板の下面にキャスタを設けることによって、この長尺板をスムーズに左右に移動させることができる。この長尺板として、もちろんスキー板そのものを用いてもよいし、練習感覚が損なわれない限りにおいて、スキー板の代わりに、長尺の板状木材、樹脂板等を用いることもできる。
【０００９】
前記構成においては、前記傾斜板の表面側に設けられ、前記傾斜板の傾斜方向と直交する方向に沿って上向き凸状の傾斜面を有する滑走板をさらに設けることもできる。
【００１０】
このように、傾斜板の表面に滑走板を設けることにより、この長尺板に左右方向の傾斜を与えることができる。このため、特に初心者から中級者が、前記傾斜板を低傾斜角度（１０〜２０度程度）で練習する際に、実際のゲレンデにおけるパラレルターンの練習感覚を容易に得ることができる。滑走板を設けた構成においては、特に中級者から上級者が高傾斜角度（２０度を超える程度）で練習する際に、この滑走板を適宜取り外せるように設計するのが好ましい。高傾斜角度において滑走板を取り付けたままにしておくと、使用者が無理な姿勢をとらざるを得なくなって、練習効率が損なわれる恐れがあるためである。
【００１１】
前記各構成においては、前記傾斜板の左右両端部に、前記キャスタの左右方向の移動を前記傾斜板の面内に限定するストッパ部材を設けることもできる。
【００１２】
このようにすれば、練習中に使用者がバランスを崩したとしても、長尺板が傾斜板の左右外側まで移動しないため、使用者が転倒に至るのを防止することができる。
【００１３】
前記各構成においては、前記左右一対の長尺板の後端に、後端に向かって延設した軸体と、前記軸体に対して軸周りに相対回動自在に設けられた筒体と、前記軸体と前記筒体に介在して設けられ前記軸体に対し前記筒体を一方向に回動した際にこの筒体を前記一方向とは逆の方向に付勢する付勢部材と、を設けることもできる。
【００１４】
このようにすれば、左右の足首を軸周りの一方向にねじると、そのねじりの力に対応する回転角度だけ、付勢部材の付勢力に抗して筒体が回動し、ゲレンデの傾斜に相当する足首のねじりを容易に生じさせることができる。このため、実際のゲレンデでの練習に近い練習感覚を得ることができる。
【００１５】
付勢部材を用いる構成においては、前記左右一対の長尺板のうち、右側の長尺板側に設けた前記付勢部材を右巻きのコイルスプリングとし、前記左右一対の長尺板のうち、左側の長尺板側に設けた前記付勢部材を左巻きのコイルスプリングとすることができる。
【００１６】
同じばね定数のスプリングを用いたとしても、このスプリングの巻きを強める方向に力を作用させる場合と、巻きを緩める方向に力を作用させる場合とでは、同じ大きさの力を作用させた場合における回転角度が異なることが考えられる。このように、右側には右巻きのコイルスプリング、左側には左巻きのコイルスプリングを用いることによって、使用者が左右いずれかの方向にターンの姿勢をとった時に、左右ともにコイルスプリングの巻きを強める、又は、巻きを緩める方向のいずれかとなって、左右の回転角度を同じにすることができる。このため、実際のゲレンデでの練習に近い練習感覚を得ることができる。
【００１７】
上記のように付勢部材を用いる構成とする代わりに、前記左右一対の長尺板の少なくとも一部に、縦断面がコの字形の補強部材を連設することができる。
【００１８】
長尺板には、使用者の体重による大きなモーメントが負荷され、長尺板全体が大きくたわんで、使用者が意図する姿勢を取りにくくなることが生じ得る。そこで、このように長尺板の少なくとも一部に、縦断面がコの字形の補強部材を連設することにより、長尺板全体としての撓みを抑制しつつ、この長尺板の軸方向周りのねじりを許容することができる。
【発明の効果】
【００１９】
この発明に係るスキー練習装置においては、傾斜板の傾斜方向と直交する方向に沿って上向き凸状の傾斜面を有する滑走板の上を、その直交する方向に左右一対の長尺板を移動させるようにしたので、この長尺板に左右方向の傾斜を与えることができる。しかも、左右一対の長尺板を傾斜板の表面に沿ってそれぞれ回動自在に設けたので、左右の長尺板を個別に回動させることができる。このため、実際のゲレンデにおける練習と同等の練習感覚を容易に得ることができ、スキー技能を効率よく向上することができる。
【図面の簡単な説明】
【００２０】
【図１】本願発明に係るスキー練習装置の第一実施形態（傾斜板を収納した状態）を示し、（ａ）は平面図、（ｂ）は側面図
【図２】図１に示すスキー練習装置において、長尺板が左右に傾斜した状態を示す正面図
【図３】図１に示すスキー練習装置において、長尺板が左右一方に傾斜した状態を示す平面図
【図４】（ａ）は傾斜板を傾斜させた状態を示す側面図、（ｂ）は傾斜板を傾斜させた状態を示す背面図、（ｃ）は傾斜板を収納した状態を示す側面図
【図５】本願発明に係るスキー練習装置の第二実施形態（傾斜板を収納した状態）を示し、（ａ）要部の平面図、（ｂ）は側面図
【図６】図５に示すスキー練習装置において、（ａ）は長尺板が傾斜していない状態を示す背面図、（ｂ）は長尺板が左右一方に傾斜した状態を示す背面図
【図７】図５に示すスキー練習装置の他例を示す要部側面図
【図８】図５に示すスキー練習装置のさらなる他例を示す側面図
【図９】本願発明に係るスキー練習装置の第三実施形態（傾斜板を収納した状態）を示し、（ａ）は要部の平面図、（ｂ）は側面図、（ｃ）は本図（ｂ）中におけるｃ−ｃ線に沿う断面図
【発明を実施するための形態】
【００２１】
本願発明に係るスキー練習装置の第一実施形態を図１（ａ）及び（ｂ）に示す。このスキー練習装置は、床面Ｆに設置する平板状の基礎板１の上に、前端部にヒンジ２が設けられ、基礎板１に対して前後方向に起伏自在、すなわち前方に対して後方を高くすることができる平板状の傾斜板３が設けられている。この基礎板１と傾斜板３は、後述する長尺板４の可動範囲に対応する扇状をしている。
【００２２】
傾斜板３の表面側には、傾斜板３の傾斜方向と直交する方向（以降、左右方向という。）に沿って上向き凸状の傾斜面（左右方向の中央で最も高く、左右に向かうほど低くなる傾斜が形成された傾斜面）を有する滑走板５が固定されている。なお、この滑走板５は、傾斜板３を高傾斜角度（例えば、２０度以上）に設定して練習する、中上級者向けの装置においては設けない、又は適宜取り外せるように設計するのが好ましい。高傾斜角度において滑走板５を取り付けたままにしておくと、使用者が無理な姿勢をとらざるを得なくなって、練習効率が損なわれる恐れがあるためである。
【００２３】
さらに、傾斜板３の前端部には左右方向に長い長孔６が形成されており、この長孔６に設けられたボールロッドエンド７を介して、左右一対の長尺板４、４が設けられている。この長尺板４は、傾斜板３の表面に沿って、扇状の傾斜板３の範囲内においてそれぞれ回動自在となっている。この長尺板４として、一般的なスキー板を用いることができるが、練習感覚が損なわれない限りにおいて、スキー板の代わりに、長尺の板状木材、樹脂板等を用いることもできる。この長尺板４の表面に、一般的に用いられるビンディング８を用いてスキー靴９が固定される。左右のボールロッドエンド７の位置を長孔６内で左右に適宜移動することで、使用者の体格や、長尺板４の幅等に合わせて、左右一対の長尺板４、４の位置を調整することができる。
【００２４】
左右一対の長尺板４、４のそれぞれの下面には、滑走板５に当接するキャスタ１０が設けられている。このキャスタ１０を設けることによって、図２に示すように、左右一対の長尺板４、４を滑走板５の表面に沿って、左右方向に自在に移動させることができる。なお、本図では、左右一対の長尺板４、４が、平行を保った状態で左右に移動している状態を示しているが、各長尺板４、４は独立して左右反対方向に移動させることもできる。
【００２５】
図３に示すように、長尺板４、４を左右一方（本図では左側）に傾斜させると滑走板５の左右方向の傾斜に沿って、左右一対の長尺板４、４のうち右側の長尺板４ａが傾斜の山側に、左側の長尺板４ｂが傾斜の谷側に位置することになる。このとき、両長尺板４ａ、４ｂはその先端部に取り付けられたボールロッドエンド７を回動軸として回動するため、本図のように左側に傾斜した場合、右側の長尺板４ａが、左側の長尺板４ｂに対して、先端側に突出した状態となる（本図中の符号ｄを参照）。このとき、使用者の体重は、山側（右側）の長尺板４ａよりも、谷側（左側）の長尺板４ｂの方により多くかかっている。
【００２６】
この左右の長尺板４ａ、４ｂの位置関係は、実際のスキーにおいてパラレルターンの姿勢をとったときの左右のスキー板の位置関係と同じである。すなわち、屋内にいながら、通常はゲレンデにおいてしか練習ができない、スキーの基本姿勢の一つを容易に練習することができるというメリットがある。
【００２７】
傾斜板３の左右両端部には、ストッパ部材１１が設けられている（図１（ａ）を参照）。このストッパ部材１１を設けることにより、練習中に使用者がバランスを崩したとしても、キャスタ１０がストッパ部材１１に当接して、長尺板４が滑走板５の左右外側まで移動するのが阻止される。このため、使用者が転倒に至るのを防止することができる。キャスタ１０がストッパ部材１１に当接した際の衝撃を弱めるために、ストッパ部材１１の素材として、ゴム材、樹脂材のように比較的軟質のものを採用するのが好ましい。
【００２８】
傾斜板３の前端部の左右には、ストック穴１２が形成されている（図１（ａ）を参照）。使用者が握るストックの先端をこのストック穴１２に挿し込むことにより、ストックが傾斜板３上で不用意に滑るのを防止することができ、練習時の安全性を一層向上することができる。
【００２９】
傾斜板３の左右両端面には係合突起１３が設けられるとともに、基礎板１の左右両側には、この基礎板１に対して回動軸１４によって起伏自在に固定部材１５が設けられている。この固定部材１５には、その長さ方向に沿って、複数の係合溝１６が形成されている。図４（ａ）及び（ｂ）に示すように、この固定部材１５を起立させつつ、係合溝１６に係合突起１３を嵌め込むことにより、傾斜板３を基礎板１に対して所定角度で固定することができる。本図においては、傾斜角度を１０度、２０度、３０度、４０度とする位置に係合溝１６が形成され、そのうち４０度とする位置の係合溝１６に係合突起１３を嵌め込んだ状態を示している。係合溝１６を形成する位置はこれに限定されず、使用者の技能を考慮して、これとは異なる位置に形成することもできる。傾斜板３、固定部材１５等の素材は、傾斜させた状態で使用者が乗った際に、その体重を十分支え得る程度の強度を備えた素材が適宜選択される。
【００３０】
固定部材１５の先端には、着脱式のハンドル１７が挿し込まれている。図４（ａ）に示すように、使用者がストックで体を支えきれないほど傾斜角度を大きくした場合には、ストックの代わりにハンドル１７を握って体を支えるようにすることもできる。図４（ｃ）に示すように固定部材１５を収納する際には、固定部材１５からハンドル１７を外しておく。なお、本図においては、長尺板４、滑走板５等のように、傾斜機能に直接関係がない部材の記載を省略している。
【００３１】
本願発明に係るスキー練習装置の第二実施形態を図５（ａ）及び（ｂ）に示す。このスキー練習装置は、基本的な構成は第一実施形態に係るものと同じであるが、スキー靴９を取り付ける部分の構成が相違している。この相違点について説明する。
【００３２】
左右一対の長尺板４、４の後端に、軸取付部材１８を介して、後端に向かって延設した軸体１９が固定されている。この軸体１９には、軸体１９に対して軸周りに相対回動自在に筒体２０が設けられている。この筒体２０の上部側には平坦部２１が形成されており、この平坦部２１に一般的なビンディング８を設けてスキー靴９を固定するようになっている。この筒体２０の先端（前端）は、軸取付部材１８に相対回動自在に挿し込まれている。筒体２０の後端側には調節ねじ２２がねじ込まれている。
【００３３】
軸体１９の外周面と筒体２０の内周面との間には隙間が形成されており、この隙間にコイルスプリング２３が設けられている。軸取付部材１８及び調節ねじ２２には、スプリング固定穴２４ａ、２４ｂが形成されており、コイルスプリング２３の前端が軸取付部材１８側のスプリング固定穴２４ａに、コイルスプリング２３の後端が調節ねじ２２側のスプリング固定穴２４ｂにそれぞれ挿し込まれている。筒体２０への調節ねじ２２のねじ込み量を調節することにより、コイルスプリング２３の巻き数が変化し、このコイルスプリング２３による付勢力の調節を行うことができる。
【００３４】
左右一対の長尺板４、４のうち、右側の長尺板４側に設けたコイルスプリング２３は右巻きのものを、左側の長尺板４側に設けたコイルスプリング２３は左巻きのものをそれぞれ使用している。このように長尺板４の左右とコイルスプリング２３の左右の巻き方向とを一致させることにより、使用者が左右いずれかの方向にターンの姿勢をとった時に、左右ともにコイルスプリング２３の巻きを強める、又は、巻きを緩める方向のいずれかとなって、左右の回転角度を同じにすることができる。このため、実際のゲレンデでの練習に近い練習感覚を得ることができる。上記の代わりに、右側の長尺板４側に設けたコイルスプリング２３は左巻きのものを、左側の長尺板４側に設けたコイルスプリング２３は右巻きのものをそれぞれ使用するようにしてもよい。このように左右逆にしても、左右対称の練習感覚を得ることができるためである。
【００３５】
左右に体重移動しない場合は、図６（ａ）に示すように、平坦部２１が筒体２０の真上に位置した状態となっている。この状態から、左右の足首を軸周りの一方向にねじると、図６（ｂ）に示すように、そのねじりの力に対応する回転角度だけ、コイルスプリング２３の付勢力に抗して筒体２０が回動し、ゲレンデの傾斜に相当する足首のねじりを容易に形成することができる。このため、実際のゲレンデでの練習に近い練習感覚を得ることができる。
【００３６】
なお、図５（ｂ）においては、長尺板４を断面コ字形の連結部材２５に水平回動自在に取り付けた構成を示したが、図７に第二実施形態の他例を示すように、連結部材２５と長尺板４の間にボールロッドエンド７を介在させた構成とすることもできる。このようにすれば、傾斜板３上における長尺板４の回動をスムーズに行うことができる。
【００３７】
また、図８に第二実施形態のさらなる他例を示すように、筒体２０の上部側に形成された平坦部２１にビンディング８を設けてスキー靴９を固定する代わりに、この平坦部２１を後方に延長した延長部２１ａを形成し、この延長部２１ａの下面にキャスタ１０を設ける構成とすることもできる。このようにすれば、図５（ｂ）に示すように筒体２０の下部に直接キャスタ１０を設けた場合と比較して、この筒体２０の直径程度だけ長尺板４の高さを低くすることができる。このように、長尺板４の高さを低くして、重心位置を下げることによって、このスキー練習装置の安全性を一段と向上することができる。
【００３８】
本願発明に係るスキー練習装置の第三実施形態を図９（ａ）及び（ｂ）に示す。このスキー練習装置も、基本的な構成は第一実施形態に係るものと同じであるが、長尺板４の途中（図９（ａ）及び（ｂ）における第一長尺板４ｃと第二長尺板４ｄの間）に、この長尺板４が使用者の体重によって過度に撓むのを防ぐ補強部材２６を用いた点において相違する。この相違点について説明する。
【００３９】
補強部材２６は、縦断面が下向きに開口するコの字形となっており（図９（ｃ）を参照）、使用者の体重が負荷された際に、その体重によって長尺板４全体が下向きに大きく撓むのを抑制しつつ、この長尺板４の軸方向周りのねじりを許容するものである。この補強部材２６の取り付け位置は特に限定されず、その長さ、素材の厚さ等も、使用者の体重、許容される撓み量の大きさ等を考慮した上で適宜決めることができる。このように縦断面コの字形の補強部材２６を用いる代わりに、少なくとも長尺板４よりも高い剛性を有する平板状の部材を補強部材２６として採用することもできる。
【００４０】
なお、この第三実施形態においても、第二実施形態において説明した図７と同様に、連結部材２５と長尺板４（第一長尺板４ｃ）の間に、ボールロッドエンド７を介在させた構成とすることもできる。
【００４１】
上記の各実施形態はあくまでも例示であって、本願発明の、実際のゲレンデにおける練習と同等の練習感覚を容易に得ることができるようにする、という課題を解決し得る限りにおいて、構成部材の形状、材質等を適宜変更することも許容される。
【符号の説明】
【００４２】
１  基礎板
２  ヒンジ
３  傾斜板
４  長尺板
５  滑走板
６  長孔
７  ボールロッドエンド
８  ビンディング
９  スキー靴
１０  キャスタ
１１  ストッパ部材
１２  ストック穴
１３  係合突起
１４  回動軸
１５  固定部材
１６  係合溝
１７  ハンドル
１８  軸取付部材
１９  軸体
２０  筒体
２１  平坦部
２１ａ  延長部
２２  調節ねじ
２３  コイルスプリング（付勢部材）
２４ａ、２４ｂ  スプリング固定穴
２５  連結部材
２６  補強部材
Ｆ  床面
【図１】
2015084864.tif 000003
【図２】
2015084864.tif 000004
【図３】
2015084864.tif 000005
【図４】
2015084864.tif 000006
【図５】
2015084864.tif 000007
【図６】
2015084864.tif 000008
【図７】
2015084864.tif 000009
【図８】
2015084864.tif 000010
【図９】
2015084864.tif 000011